(57)【要約】【課題】異常発生前の運転情報も記録させること。【解決手段】リモコン（11）が室内ユニット（12）に接続されている。室外ユニット（13）には、運転情報が随時入力されるマイコン（14）と、運転異常が発生するとその異常発生時の運転情報が自動的に記録されるメモリ（15）とが設けられている。リモコン（11）には、マイコン（14）の運転情報をメモリ（15）に記録させるための記録指令を手動操作によって出力する記録指令部（16）が設けられている。これにより、異常発生時だけでなく、任意のタイミングで運転情報がメモリ（15）に記録される。【選択図】図１
2008249310.tif 000002
【特許請求の範囲】
【請求項１】
室外ユニット（13）および室内ユニット（12）と、該室内ユニット（12）に接続されるリモコン（11）と、上記室外ユニット（13）の運転情報が入力されると共に運転異常を検出する制御部（14）と、該制御部（14）が運転異常を検出すると、該制御部（14）の検出時における運転情報が記録される不揮発性のメモリ（15）とを備えた空気調和装置であって、
上記リモコン（11）には、上記制御部（14）の運転情報を上記メモリ（15）に記録させるための記録指令が手動操作によって出力される記録指令部（16）が設けられている
ことを特徴とする空気調和装置。
【請求項２】
請求項１において、
上記室外ユニット（13）の運転情報は、上記室外ユニット（13）に設けられる圧縮機の吸入温度および吐出温度と、その圧縮機に供給される電流値である
ことを特徴とする空気調和装置。
【請求項３】
請求項１または２において、
上記メモリ（15）は、記録された運転情報が上記制御部（14）を介して外部に読み出し可能になっている
ことを特徴とする空気調和装置。
【請求項４】
請求項１または２において、
上記制御部（14）およびメモリ（15）は、上記室外ユニット（13）内に設けられている
ことを特徴とする空気調和装置。
【発明の詳細な説明】
【技術分野】
【０００１】
本発明は、空気調和装置に関し、特に、運転データの記録機能の向上に係るものである。
【背景技術】
【０００２】
従来より、異常発生原因の解析に用いるために各種運転情報を記憶する機能を備えた空気調和装置が知られている。例えば特許文献１の空気調和装置は、室外機に設けられた室外機側制御部と室外記憶部とを備えている。この空気調和装置では、例えば室外機に異常が発生すると、室外機側制御部によってその異常が検出される。異常が検出されると、その異常発生時における各装置の運転状態や環境情報等（異常発生情報）が室外記憶部に記憶される。このように、室外記憶部に異常発生時の情報が蓄積されていく。そして、サービスマンが現地において室外記憶部から異常発生情報を読み出して、異常発生原因の解析に用いるようにしている。
【特許文献１】特開２００４−１５６８２９号公報
【発明の開示】
【発明が解決しようとする課題】
【０００３】
ところで、異常発生原因をより正確に解析するためには、異常発生時の情報はもとより異常発生前の情報も加えて解析することが重要である。しかしながら、上記特許文献１の空気調和装置では、異常発生時のみの運転情報しか記憶されないため、より高精度な解析を行うことができないという問題があった。
【０００４】
そこで、異常発生時も含めて運転中常に運転情報を記憶させるようにすることが当然に考えられるが、そうすると、記憶部の容量が著しく大きくなり、また記憶部自体の寿命が短くなって、非常にコストがかかってしまうという問題があった。
【０００５】
本発明は、斯かる点に鑑みてなされたものであり、その目的は、異常発生原因を解析するために運転情報を記憶させる機能を備えた空気調和装置において、異常発生時の運転情報だけでなく異常発生前の運転情報も入手できるようにすることである。
【課題を解決するための手段】
【０００６】
第１の発明は、室外ユニット（13）および室内ユニット（12）と、該室内ユニット（12）に接続されるリモコン（11）と、上記室外ユニット（13）の運転情報が入力されると共に運転異常を検出する制御部（14）と、該制御部（14）が運転異常を検出すると、該制御部（14）の検出時における運転情報が記録される不揮発性のメモリ（15）とを備えた空気調和装置を前提としている。そして、上記リモコン（11）には、上記制御部（14）の運転情報を上記メモリ（15）に記録させるための記録指令が手動操作によって出力される記録指令部（16）が設けられているものである。
【０００７】
上記の発明では、運転中、室外ユニット（13）の運転情報が随時制御部（14）に入力される。制御部（14）は、運転情報に基づいて運転異常を検出する。運転異常が検出されると、異常時の運転情報が自動的に制御部（14）からメモリ（15）に記録される。記録された運転情報は、メモリ（15）が不揮発性であるため、運転停止によって電源が切られても保存される。
【０００８】
そして、本発明では、運転中、リモコン（11）の記録指令部（16）を手動操作すると、その時の制御部（14）の運転情報がメモリ（15）に記録される。つまり、運転中、任意のタイミングで運転情報がメモリ（15）に記録される。したがって、異常発生時の運転状態を再現する際に、記録指令部（16）を手動操作すれば、異常発生前の運転情報がメモリ（15）に記録される。
【０００９】
第２の発明は、上記第１の発明において、上記室外ユニット（13）の運転情報は、上記室外ユニット（13）に設けられる圧縮機の吸入温度および吐出温度と、その圧縮機に供給される電流値である。
【００１０】
上記の発明では、圧縮機の吸入温度や電流値等が運転情報として制御部（14）に入力され、異常発生時にはメモリ（15）に記録される。
【００１１】
第３の発明は、上記第１または第２の発明において、上記メモリ（15）は、記録された運転情報が上記制御部（14）を介して外部に読み出し可能になっているものである。
【００１２】
上記の発明では、パソコン等を制御部（14）に電気的に接続すれば、メモリ（15）に記録された異常発生時の運転情報が読み出される。
【００１３】
第４の発明は、上記第１または第２の発明において、上記制御部（14）およびメモリ（15）が上記室外ユニット（13）内に設けられているものである。
【００１４】
上記の発明では、記録指令部（16）からの記録指令が室内ユニット（12）を介して室外ユニット（13）の制御部（14）に出力される。その記録指令によって、制御部（14）からメモリ（15）に運転情報が出力されて記憶される。
【発明の効果】
【００１５】
以上のように、本発明によれば、制御部（14）に入力された運転情報をメモリ（15）に記録させるための記録指令を手動操作によって出力させる記録指令部（16）を設けるようにした。したがって、利用者の任意のタイミングで、運転情報をメモリ（15）に記録させることができる。そのため、異常運転を再現する際、異常が発生する前の任意のタイミングで記録指令部（16）を操作することで、異常発生前の運転情報をメモリ（15）に記録させることができる。これにより、異常発生時の運転情報と異常発生前の運転情報の両方を入手することができる。その結果、異常発生の解析精度を向上させることができ、異常発生原因をより正確に特定することができる。
【００１６】
さらに、本発明によれば、記録指令部（16）をリモコン（11）に設けるようにしたので、容易に記録指令を出力させることができ、容易に異常発生前の運転情報を入手することができる。よって、異常発生の解析作業の効率を著しく向上させることができる。
【００１７】
また、第３の発明によれば、メモリ（15）に記録された運転情報をマイコン（14）を介して外部に読み出し可能に構成するようにしたので、現地で容易に運転情報を読み出すことができる。これにより、一層解析作業の効率が向上する。    
【発明を実施するための最良の形態】
【００１８】
本発明の実施形態を図面に基づいて詳細に説明する。
【００１９】
図１に示すように、本実施形態に係る空気調和装置（10）は、室内ユニット（12）と、室外ユニット（13）と、リモコン（11）とを備えている。
【００２０】
上記空気調和装置（10）は、図示しないが、室外ユニット（13）と室内ユニット（12）とが配管接続されて冷媒回路を構成している。冷媒回路は、冷媒が循環して蒸気圧縮式冷凍サイクルが行われる。つまり、室外ユニット（13）には、圧縮機や室外熱交換器、室外ファン等が設けられ、室内ユニット（12）には、室内熱交換器や室内ファン等が設けられている。
【００２１】
上記室外ユニット（13）には、上述した冷凍機器以外に、マイコン（14）とメモリ（15）（ＥＥＰＲＯＭ）が設けられている。
【００２２】
上記マイコン（14）は、本発明に係る制御部を構成している。具体的に、マイコン（14）は、運転中、室外ユニット（13）の運転情報（図１および図２においては、「解析用データ」と記載する。）が随時入力される。この運転情報とは、圧縮機の吸入冷媒温度（吸入温度）および吐出冷媒温度（吐出温度）や、圧縮機へ供給される電流値等である。また、マイコン（14）は、これらの運転情報から運転異常（以下、単に異常という。）を検出するように構成されている。
【００２３】
上記メモリ（15）は、不揮発性のもので、読み書き可能に構成されている。メモリ（15）は、マイコン（14）が異常を検出すると、その異常発生時の運転情報が自動的に記録される。また、このメモリ（15）は、不揮発性であるため、運転停止によって電源が切られても記録された運転情報が保存される。
【００２４】
上記リモコン（11）は、室内ユニット（12）に通信線で接続されている。室内ユニット（12）と室外ユニット（13）との間には、通信線が接続されている。このリモコン（11）は、運転モード（冷房運転や暖房運転等）および室内温度等を設定するものである。
【００２５】
そして、上記リモコン（11）には、本発明の特徴として、記録指令部（16）が設けられている。この記録指令部（16）は、手動操作によって、マイコン（14）の運転情報をメモリ（15）に記録させるための記録指令を出力するように構成されている。具体的に、出力された記録指令は、通信線および室内ユニット（12）を介してマイコン（14）に送信される。マイコン（14）に記録指令が送信されると、その時の運転情報（解析用データ）が出力されてメモリ（15）に記録される。
【００２６】
次に、異常発生時の運転情報の記録動作について説明する。
【００２７】
上記空気調和装置（10）が運転されると、圧縮機の吸入温度等の運転情報がマイコン（14）に随時入力される。ここで、マイコン（14）が異常を検出すると、その異常発生時の運転情報がメモリ（15）に記録される。
【００２８】
異常が発生すると、サービスマンが現地に行き、異常発生時の運転状態を再現する。具体的に、図２に示すように、サービスマンは、パソコン（20）をマイコン（14）の端末に接続して、読み出し指令を出力する。そうすると、メモリ（15）に記録された異常発生時の運転情報（解析用データ）がマイコン（14）を介してパソコン（20）に読み出される。サービスマンは、読み出された運転情報に基づいて、空気調和装置（10）を運転して異常発生時の運転状態を再現する。
【００２９】
この再現時には、上述した通常の運転と同様に、室外ユニット（13）の運転情報が随時マイコン（14）に入力される。そして、サービスマンは、異常が発生する前の任意のタイミングで、リモコン（11）の記録指令部（16）を手動操作する。この手動操作の度に、記録指令がマイコン（14）に送信されて、その送信時の運転情報がメモリ（15）に記録される。これにより、メモリ（15）には、異常発生時の運転情報と異常発生前の運転情報とが記録される。この記録された運転情報は、上述したように、パソコン（20）に読み出される。読み出された異常発生時および異常発生前の運転情報は、異常発生の解析用に用いられる。
【００３０】
−実施形態の効果−
本実施形態では、マイコン（14）の運転情報をメモリ（15）に記録させるための記録指令を手動操作によって出力させる記録指令部（16）を設けるようにした。したがって、利用者の任意のタイミングで、運転情報をメモリ（15）に記録させることができる。そのため、異常時の運転状態を再現する際、異常が発生する前の任意のタイミングで記録指令部（16）を操作することにより、異常発生前の運転情報をメモリ（15）に記録させることができる。これにより、異常発生時の運転情報と異常発生前の運転情報を入手することができる。その結果、異常発生の解析精度を向上させることができる。
【００３１】
また、本実施形態では、記録指令部（16）をリモコン（11）に設けるようにしたので、容易に記録指令を出力させることができ、容易に異常発生前の運転情報を入手することができる。その結果、異常時の点検作業並びに異常発生の解析作業の効率を著しく向上させることができる。
【００３２】
また、本実施形態では、メモリ（15）に記録された運転情報をマイコン（14）を介して外部出力させるようにしたので、現地で容易に運転情報を読み出すことができる。これにより、一層解析作業の効率が向上する。
【００３３】
《その他の実施形態》
上記実施形態については、以下のような構成としてもよい。
【００３４】
例えば、上記実施形態では、マイコン（14）およびメモリ（15）を室外ユニット（13）に設けるようにしたが、これに限らず、本発明は、室内ユニット（12）に設けるようにしてもよいし、各ユニット（12,13）外に別途制御装置として設けるようにしてもよい。      
【００３５】
また、上記実施形態では、運転情報として、圧縮機の吸入温度および吐出温度、圧縮機の電流値を記録させるようにしたが、圧縮機の吸入圧力や室外ファン等それ以外の運転情報を記録させるようにしてもよいことは勿論である。さらに、室内ユニット（12）に関する運転情報も記録させるようにしてもよい。
【００３６】
また、本実施形態では、記録指令部（16）をリモコン（11）に設けるようにしたが、これに代えて、室内ユニット（12）や室外ユニット（13）に設けるようにしてもよい。
【００３７】
なお、上記実施形態は、本質的に好ましい例示であって、本発明、その適用物、あるいはその用途の範囲を制限することを意図するものではない。
【産業上の利用可能性】
【００３８】
以上説明したように、本発明は、異常発生時の運転情報を記録させる機能を備えた空気調和装置として有用である。
【図面の簡単な説明】
【００３９】
【図１】実施形態に係る空気調和装置の構成を示すブロック図である。
【図２】異常情報の読み出し動作を説明するためのブロック図である。
【符号の説明】
【００４０】
10          空気調和装置
11          リモコン
12          室内ユニット
13          室外ユニット
14          マイコン（制御部）
15          メモリ
16          記録スイッチ（記録指令部）
【図１】
2008249310.tif 000003
【図２】
2008249310.tif 000004